(57)【要約】      （修正有）【課題】設置作業性および装飾性に優れたフロアユニットを提供する。【解決手段】フロアユニット１０は、板状の基台ユニット１２と、基台ユニット１２上に固定される板状の床材１４とを有する。基台ユニット１２は、十字状の突出部１６ｃ，１６ｄを上面に備える第一基台１６と、十字状の突出部１８ｂを上面に備える第二基台を含む。床材１４は、突出部１６ｃ，１６ｄ，１８ｂに収められる溝部１４ａを底面に備える。すなわち、床材１４には、十字状の溝部１４ａが底面の中央に形成されている。床材１４は、底面の周縁に外溝部１４ｂを備える。床材１４上には、モザイク２２が並べられ、接着剤によって固定されている。基台ユニット１２および床材１４は断熱性樹脂からなる。【選択図】図２
0003180138.tif 000002
【実用新案登録請求の範囲】
【請求項１】
板状の基台と、前記基台上に固定される板状の床材とを有するフロアユニットであって、
前記基台は、十字状の突出部を上面に備え、
前記床材は、前記突出部に収められる溝部を底面に備えるフロアユニット。
【請求項２】
請求項１において、
前記基台および前記床材のうちの少なくとも一方が断熱性樹脂からなるフロアユニット。
【請求項３】
請求項１または２において、
前記基台は、複数の十字状の突出部を上面に備える基台と、１つの十字状の突出部を上面に備える基台とを含むフロアユニット。
【請求項４】
請求項１から３のいずれかにおいて、
前記床材は、底面の周縁に外溝部を備えるフロアユニット。
【請求項５】
下地に設置する長板と、前記長板上に固定される板状の床材とを有するフロアユニットであって、
前記床材は、前記長板に収められる十字状の溝部を底面に備えるとともに、底面の周縁に外溝部を備えるフロアユニット。
【考案の詳細な説明】
【技術分野】
【０００１】
本考案は、庭やベランダ等に敷いて装飾するフロアユニットに関するものである。
【背景技術】
【０００２】
レンガやタイル等の床材を庭に敷いて装飾することが行われている。一般にレンガやタイルは、庭に敷かれたコンクリート上に一個一個設置されて、全体の装飾フロアが完成する。したがって、装飾フロアの施工に時間がかかる。レンガやタイルが台紙に複数並べられたユニットレンガやユニットタイルを用いれば施工時間が短縮できるが、運搬やコンクリート上への設置に注意が必要であり、作業性の更なる向上が望まれている。
【考案の概要】
【考案が解決しようとする課題】
【０００３】
本考案はこのような事情に鑑みてなされたものであり、設置作業性および装飾性に優れたフロアユニットを提供することを目的とする。
【課題を解決するための手段】
【０００４】
本考案のフロアユニットは、板状の基台と、基台上に固定される板状の床材とを有するフロアユニットであって、基台は、十字状の突出部を上面に備え、床材は、突出部に収められる溝部を底面に備える。本考案のフロアユニットにおいて、基台および床材のうちの少なくとも一方が断熱性樹脂からなることが好ましい。
【０００５】
本考案のフロアユニットにおいて、基台は、複数の十字状の突出部を上面に備える基台と、１つの十字状の突出部を上面に備える基台とを含むことが好ましい。本考案のフロアユニットにおいて、床材は、底面の周縁に外溝部を備えることが好ましい。
【０００６】
本考案の他のフロアユニットは、下地に設置する長板と、長板上に固定される板状の床材とを有するフロアユニットであって、床材は、長板に収められる十字状の溝部を底面に備えるとともに、底面の周縁に外溝部を備える。
【考案の効果】
【０００７】
本考案によれば、設置作業性および装飾性に優れたフロアユニットが得られる。
【図面の簡単な説明】
【０００８】
【図１】本考案の実施形態に係るフロアユニットの平面図である。
【図２】本考案の実施形態に係るフロアユニットの断面模式図である。
【図３】本考案の実施形態に係る基台の平面図である。
【図４】本考案の実施形態に係る床材の底面図である。
【図５】本考案の他の実施形態に係るフロアユニットの平面図である。
【図６】本考案の他の実施形態に係るフロアユニットの平面図である。
【考案を実施するための形態】
【０００９】
以下、本考案のフロアユニットについて、図面を参照しながら実施形態に基づいて説明する。なお、図面は、フロアユニットおよびフロアユニットを構成する各部材を模式的に表したものであり、これらの実物の寸法および寸法比は、図面上の寸法および寸法比と必ずしも一致していない。また、重複説明は適宜省略し、同一部材には同一符号を付与することがある。
【００１０】
図１は、本考案の実施形態に係るフロアユニット１０の平面図である。図２は、図１のフロアユニット１０をＡ−Ａ線で切断したときの断面模式図である。図３は、フロアユニット１０を構成する基台ユニット１２の平面図で、フロアユニット１０の設置工程で床材１４が固定される前の状態を示す。フロアユニット１０は、庭やベランダ等に敷かれる。フロアユニット１０は、図１および図３に示すように、基台ユニット１２と、２５枚の床材１４とから構成される。
【００１１】
基台ユニット１２は、図２および図３に示すように、４枚の第一基台１６と、４枚の第二基台１８と、１枚の第三基台２０とからなる。なお、本考案のフロアユニット１０では、第一基台１６、第二基台１８、第三基台２０、および床材１４の配置や数量等は、本実施形態に限定されない。第一基台１６、第二基台１８、および第三基台２０は、板状の断熱性樹脂からなる。基台ユニット１２の材質としては、発泡スチロール、発泡フェノール、発泡ウレタン等が挙げられる。
【００１２】
このように基台ユニット１２が断熱性樹脂から構成されるため、基台ユニット１２の軽量化、耐久化、低価格化が図れる。また、軽量化された基台ユニット１２によって、フロアユニット１０の設置作業の効率化が図れる。さらに、基台ユニット１２が断熱性樹脂から構成されるため、フロアユニット１０を設置した後、基台ユニット１２の下地からの冷気や熱気が、床材１４に伝達するのを抑えられる。したがって、機能性に優れたフロアユニット１０が得られる。
【００１３】
第一基台１６は、つながった４つの十字状の突出部１６ａ，１６ｂ，１６ｃ，１６ｄを上面に備える。第二基台１８は、つながった２つの十字状の突出部１８ａ，１８ｂを上面に備える。第三基台２０は、１つの十字状の突出部２０ａを上面に備える。突出部１６ａ，１６ｂ，１６ｃ，１６ｄ，１８ａ，１８ｂ，２０ａは、第一基台１６、第二基台１８、および第三基台２０の上面に板状部材を接合することによって形成される。突出部１６ａ，１６ｂ，１６ｃ，１６ｄ，１８ａ，１８ｂ，２０ａは、第一基台１６、第二基台１８、および第三基台２０の一体成型によって形成してもよい。
【００１４】
このように、基台ユニット１２が、複数の十字状の突出部１６ａ，１６ｂ，１６ｃ，１６ｄ，１８ａ，１８ｂを上面に備える基台１６，１８も含むことによって、フロアユニット１０の設置場所に応じて、第一基台１６、第二基台１８、第三基台２０、またはこれらの併用を使い分けることができ、基台ユニット１２の設置作業が効率的になる。なお、本考案のフロアユニット１０では、第一基台１６、第二基台１８、および第三基台２０の構成、ならびに第一基台１６、第二基台１８、および第三基台２０に設けられた突出部の配置や数量等は、本実施形態に限定されない。
【００１５】
第一基台１６は、縦が約９００ｍｍ、横が約９００ｍｍ、突出部１６ａ，１６ｂ，１６ｃ，１６ｄを除いた厚さが約８３ｍｍのほぼ正方形板の形状を有する。突出部１６ａ，１６ｂ，１６ｃ，１６ｄは、幅が約１２０ｍｍ、長さが約４５０ｍｍ、厚さが約１０ｍｍの十字形板の形状をそれぞれ有する。第二基台１８は、縦が約９００ｍｍ、横が約４５０ｍｍ、突出部１８ａ，１８ｂを除いた厚さが約８３ｍｍのほぼ長方形板の形状を有する。突出部１８ａ，１８ｂは、幅が約１２０ｍｍ、長さが約４５０ｍｍ、厚さが約Ｂｍｍの十字形板の形状をそれぞれ有する。第三基台２０は、縦が約４５０ｍｍ、横が約４５０ｍｍ、突出部２０ａを除いた厚さが約Ａｍｍのほぼ正方形板の形状を有する。突出部２０ａは、幅が約１２０ｍｍ、長さが約４５０ｍｍ、厚さが約１０ｍｍの十字形板の形状を有する。
【００１６】
床材１４は、板状の断熱性樹脂からなる。床材１４の材質としては、発泡スチロール、発泡フェノール、発泡ウレタン等が挙げられる。このように床材１４が断熱性樹脂から構成されるため、床材１４の軽量化、耐久化、低価格化が図れる。軽量化された床材１４によって、フロアユニット１０の設置作業の効率化が図れる。さらに、床材１４が断熱性樹脂から構成されるため、フロアユニット１０を設置した後、床材１４の下方からの冷気や熱気が、床材１４の上方に伝達するのを抑えられる。
【００１７】
床材１４は、第一基台１６、第二基台１８、および第三基台２０上に接着剤を用いて固定される。固定方法については後述する。図１に示すように、床材１４上には、縦が約９０ｍｍ、横が約９０ｍｍ、厚さが約７ｍｍのモザイク２２が２５枚並べられ、接着剤によって固定されている。モザイク２２の材質としては、ポリスチレンやポリエチレンテレフタレート等の樹脂、木材、木材入り樹脂、タイル、セラミックス等が挙げられる。床材１４やモザイク２２の大きさ、形状、数量、材質等は本実施形態に限定されない。
【００１８】
図４は、フロアユニット１０を構成する床材１４の底面図である。床材１４は、図４に示すように、溝部１４ａを底面に備える。すなわち、床材１４の底面の中央には、十字状の溝部１４ａが形成されている。溝部１４ａは、突出部１６ａ，１６ｂ，１６ｃ，１６ｄ，１８ａ，１８ｂ，２０ａに収められる。溝部１４ａは、幅が約１１９ｍｍ、長さが約４５０ｍｍ、深さが約１０ｍｍである。溝部１４ａの幅が突出部１６ａ，１６ｂ，１６ｃ，１６ｄ，１８ａ，１８ｂ，２０ａの幅よりわずかに小さいため、基台ユニット１２上での床材１４のぐらつきを抑えることができる。
【００１９】
フロアユニット１０の設置工程では、底面に接着剤を塗った床材１４の溝部１４ａを、基台ユニット１２の突出部１６ａ，１６ｂ，１６ｃ，１６ｄ，１８ａ，１８ｂ，２０ａに嵌め込むことによって、床材１４を基台ユニット１２上に固定する。このため、フロアユニット１０は、設置作業性に優れている。なお、溝部１４ａの幅が突出部１６ａ，１６ｂ，１６ｃ，１６ｄ，１８ａ，１８ｂ，２０ａの幅より小さいので、床材１４の底面に接着剤を塗らずに突出部１６ａ，１６ｂ，１６ｃ，１６ｄ，１８ａ，１８ｂ，２０ａに溝部１４ａを嵌め込んでもよい。また、十字状の溝部１４ａが床材１４の底面の中央に形成されており、モザイク２２の模様等に応じて、床材１４を水平面で９０°単位で回転させて好きな向きで固定できる。このため、フロアユニット１０は、装飾性に優れている。
【００２０】
床材１４は、図４に示すように、底面の周縁に外溝部１４ｂを備える。外溝部１４ｂは、幅が約１０ｍｍで、深さが約１０ｍｍである。この外溝部１４ｂは、水の逃げ道として機能する。すなわち、降雨や降雪等によって基台ユニット１２と床材１４との隙間に水が浸み込んだり、入り込んだりしたとしても、水は外溝部１４ｂを通じてフロアユニット１０の外部に流出する。このため、水の凍結によるフロアユニット１０の破損を抑えることができる。
【００２１】
以上、実施形態に基づいて本考案のフロアユニットを説明したが、本考案のフロアユニットは上記実施形態に限定されない。すなわち、基台ユニット１２および床材１４は、断熱性樹脂から構成されていなくてもよい。しかしながら、基台ユニット１２および床材１４のうちの少なくとも一方が断熱性樹脂からなるのが好ましい。また、フロアユニット１０の周囲をフェンスで囲って、基台ユニット１２や床材１４の側面が見えないようにしてもよい。
【００２２】
また、上記実施形態では、板状の基台の上面に設けられた十字状の突出部に床材の底面の溝部を嵌め込んで、基台に床材を固定したが、これに代えて、直線状の長板を下地に設置して、この長板に床材を上から嵌め込んでもよい。すなわち、本考案の他の実施形態に係るフロアユニットは、下地に設置する長板と、長板上に固定される板状の床材とを有するフロアユニットであって、床材は、長板に収められる十字状の溝部を底面に備えるとともに、底面の周縁に外溝部を備える。
【００２３】
この実施形態では、床材の底面に設けられた十字状の溝部を直線状の長板に嵌める構造なので、上記実施形態と同様に、床材を水平面で９０°単位で回転させて好きな向きで固定できる。また、基台が省略できるため、低いフロアユニットを設置したい場合に好適である。
【００２４】
図５は、本考案の他の実施形態に係るフロアユニット５０の平面図である。フロアユニット１０の床材１４上のモザイク２２に代えて、フロアユニット５０では、表面に木目の板状部材が一方向に設置されている。図６は、本考案の他の実施形態に係るフロアユニット６０の平面図である。フロアユニット６０では、表面に木目の板状部材が二方向に設置されている。このように、本考案のフロアユニットは床材を水平面で９０°単位で回転させて好きな向きで固定できるため、デザイン性に優れている。木目の向きを代えるだけでなく、表面の色が異なる二種類の床材を用いて、例えば市松模様のフロアユニットを作製してもよい。
【符号の説明】
【００２５】
１０，５０，６０  フロアユニット
１２  基台ユニット
１４  床材
１４ａ  溝部
１４ｂ  外溝部
１６  第一基台
１６ａ，１６ｂ，１６ｃ，１６ｄ，１８ａ，１８ｂ，２０ａ  突出部
１８  第二基台
２０  第三基台
２２  モザイク
【図１】
0003180138.tif 000003
【図２】
0003180138.tif 000004
【図３】
0003180138.tif 000005
【図４】
0003180138.tif 000006
【図５】
0003180138.tif 000007
【図６】
0003180138.tif 000008